(57)【要約】【課題】従来、締結用「座金付きナット」は、概して座金外径寸法が極少な為、パーツ類の締結時、該「座金」が、穴部に落ち込み確実な締結工事が成し得なかった。更には、之等の構成パーツたる「座金」及び、「ナット」の何れも特注パーツの為、高価につき従って、「座金付きナット」も高単価成らざるを得なかった。【解決手段】「締結用座金付きナット」の構成パーツを、市販の「汎用型ナット（Ｎ）」並びに、同、市販の「汎用型座金（Ｗ）」を採用し、これ等の中心線（Ｃ）を一致せしめて接触状態と成し、相対向する接触部適所を溶接加工に依り、固着一体化せしめて、本考案「締結用座金固着形ナット（Ｗ・Ｎ）」を構成したものである。【選択図】図２
0003099196.tif 000002
【実用新案登録請求の範囲】
【請求項１】
所望せる締結目的に対応した大きさの汎用型ナット（Ｎ）並びに座金（Ｗ）の夫々を、中心線（Ｃ）に関して幾何学的に一致させ、且つ、接触成さしめた状態に於いて、当該、汎用型ナット（Ｎ）並びに同座金（Ｗ）との間で形成せる接触部適所に、相対向させて溶接加工（Ｌ）、（Ｌ）を施しめ一体化成さしめた事を特徴とせる、締結用座金固着形ナット（（Ｗ・Ｎ）。
【考案の詳細な説明】
【０００１】
【考案の属する技術分野】
本考案は、現在、最も汎用的に使用されている、所謂、「締結用エレメント」に斯かるものである事から推して、本考案の属する技術分野としては、先ず以って、一般機械分野は勿論、云う迄も無く、更には、一般建築分野、土木分野、化学工業分野、それに、一般装置工業技術分野、…等々に至る、極めて広範囲な規模に亘るものと言っても過言では無かろう。
【０００２】
【従来の技術】
扨て、従来より之の種「締結用エレメント」としては、「ナット」に「座金」が固着された、所謂、「ワッシャー付ナット」と称せられるものは既に、存在しては居た。
即ち、従来技術の一例を挙げると成れば、例えば実用新案登録番号第３０４３３８２号「座金付きツーピースナット及びツーピースフランジ付きナット」が見られるのであるが、当該登録実用新案公報に記載のものは、次に述べる理由に基づき、最早、世間では到底、相手にされない代物と言っても過言で在るまい。即ち、
▲１▼．ナット本体、座金共に、所謂、特殊ものより構成されて居る。
▲２▼．▲１▼項より、固着一体化せしめる為には、絞め加工を施さなければ成らない。
▲３▼．上記▲１▼項、▲２▼項より当然の事ながら、製品単価は高額成らざるを得ない。
▲４▼．依って、平成大不況下の厳しい要請には、到底、応え切れない事と成る。
▲５▼．然も之の種の「ワッシャー付きナット」に在っては、概して固着されて居る「ワッシャー」其のものの外径寸法が極少なる為、パーツ類の締結時、「ワッシャー」が外れ落ち込み、確実なる締結工事が達成されない。
▲６▼．斯かる如き▲５▼項に依り、当該、締結部…等よりの脱落や破損…等々の事故発生を齎らしめる。
▲７▼．さりとて、「ワッシャー」其のものは、特殊もので在るが故に、簡易に外径寸法を変更成し得ず、為に、一般機械分野（一般建築分野、…なかんずく、装置工業分野に在っては、「何とか成らないのか」と言った、改善要求が渇望されて居る、エレメント・パーツの一つでも在った。
以上、各項目ごとに記述して来た通り、従来技術に基づいた所謂「ワッシャー付きナット」に在っては、抑抑、其の根本的な寸法（特に外径寸法）に於いて、将に、一刻足りとも、忽せにす可からざる憂慮す可き、重大問題が潜んで居ると言った、斯かる厳しい現実に鑑み、之が解決せんものと提案された次第で在る。
【０００３】
【考案が解決しようとする課題】
前項に於いて、縷々、詳述して来た如く、従来の技術に基づいた所の、「ワッシャー付きナット」に在っては、先ず以って、之の種、特殊ものと言うのは、「元来、特殊パーツ類を組み合わせて製品化され完成するもので在るが故、高額にして且つ、一定寸法のものしか市場へは出荷出来無いんだ」と言った如き、所謂、時代背景を軽視せる設計理念並びに経営感覚こそが、抑抑、斯かる重大問題を惹起せしめて居る現実の姿に着目し、以下に記述する解決の為の課題をピック・アップし得るに至り、ここに於いて、詳述して来た諸々の重要問題の全面的な解決へと大きく前進したので在った。
然うして、本考案が解決しようとする課題とは、凡そ、次の通りである。
即ち、何れにしろ、結局の所は、「座金をナットに固着一体化」せる、所謂、「エレメント・パーツ」を完成すれば、それで、総て事足り得ると言った原理・原則に立脚し、…
▲１▼本考案を構成する要素には、特殊ものは、一切、採用しない。
▲２▼固着一体化工法としては、最も、シンプルな工法を用いる。
▲３▼．更に、リアルタイムで、締結作業現場に対応成し得る、締結用エレメントの供給を可能ならしめる。
▲４▼．然うして、其の製作加工は、至簡其のものに留める。…等々を解決しようとする手段に掲げた事に依り、茲に、加工至簡・低廉安価且つ、締結効果抜群にして、小回りの利く「ワッシャー付きナット」の出現を見るに至った次第なり。
【０００４】
【課題を解決するための手段】
本考案は、前項に於いて、縷々、詳述した如く、極めて素直に且つ大胆に、思い切った発想の転換を土台とし、然も、最も理に適った工夫・改善の結果、其の具現化を見るに至ったものにして、締結に斯かる諸々の問題は、総て、完璧にクリアー成し得、然も、其の基本構成がシンプル其のもので在る…等々に依って、本考案「締結用座金固着形ナット」の実用的効果の程は、測り知れない位、甚大なるものが存在する。為に、之の種「ワッシャー付きナット」の使用頻度も日増しに高まり、機械装置分野、建築関連分野、化学工業分野、それに一般装置工業分野…等々への貢献度も、之亦、測り知れないものが在り、これぞ将に、厳しい時代の厳しい要請にピッタリの考案足り得るものと確信する所である。
扨て、茲で、課題を解決せんが為の手段とは、凡そ、次の如くである。即ち、▲１▼．本考案構成エレメント・パーツは一般市場扱いの、「ナット、ワッシャー」を１００パーセント使用するものとする。換言すれば、汎用のナット、ワッシャー以外は、全く、使用しないと言う事なり。
▲２▼．「ナット、ワッシャー」類の固着一体化には、溶接加工を施す。
▲３▼．上記、▲１▼項、▲２▼項より、必要なサイズの「締結用座金固着形ナット」は、エブリー・タイム、エブリー・ウエアー、供給可能成らしめるものとする。
以上、記述して来た通り本考案は、上記▲１▼項〜▲３▼項に記載せる課題解決の為の各手段を、改善策の基本理念とし、強力に推進せしめた事に依って、諸々の問題解決へと力強く前進した次第である。
【０００５】
【考案の実施の形態】
本考案に斯かる、「締結用座金固着形ナット」は、前述せる如き解決手段に基づき具現化成し得たものであるが、之を例えば、極く一般的な「締結用座金付きナット」例を挙げ、一実施例としての図面、図１及び、図２に関して説明すれば、凡そ次の通りである。
今、一般機械工具材料店等にて調達せる、汎用型ナット（Ｎ）（即ち、極く普通のナットを指すものである）並びに同座金（Ｗ）（これも、ナット同様、極く、普通のワッシャーを指すが、所望せる目的に従って、特殊サイズのものを選択使用するは、勿論、言う迄も無い）の夫々を、図１に示せる如く、中心線（Ｃ）に関して幾何学的に一致せしめた状態と為し、且つ、これ等を斯かる状態の儘、互いに相接触為さしめ、更に、斯かる状態にて、同図２に示せる如く、当該、汎用型ナット（Ｎ）、並びに同座金（Ｗ）との間で形成せる接触部適所（Ｈ）に、相対向せしめて溶接加工（Ｌ）、（Ｌ）を施し、固着一体化成さしめ、茲に、本考案「締結用座金固着形ナット」を構成するものである。　即ち、溶接加工は当該ナットの丁度、対辺間に亘り施す事と成るので、２箇所に溶接加工が施される事になる。
尚、序で乍ら付言するが、目的・作用・効果…等々に依っては、特殊ナットの使用や或いは亦、特殊ワッシャー等々…の使用に際しても、これ等を適宜選択組み合わせの上、前記せる考案の実施形態に従って固着一体化すれば、茲に、予め、所望せる所の完成品が得られるに至るものである。
以上、縷々、詳述せる如く、本考案の実施に関しては、其の基本構成がシンプル其のものである丈に、実施形態に関しても、極めて簡単明瞭なる説明にて十分足り得る。
【０００６】
【実施例】
本考案の実施例に関し、図面、図１、図２、及び図３に依って説明する。
先ず、本考案実施例に於いては、「締結用座金固着形ナット」として、一般の機械分野、一般建築分野、土木分野、化学工業分野、それに最近、頓に増加傾向に在る一般装置工業分野…等々で、最も需要度の高い、汎用型ナット（Ｎ）（即ち、通常使用のナットを指す）と、同座金（Ｗ）（これも、前記せるナットと同様、通常使用座金を指す）との組み合わせた場合のものを、図１及び図２を以って示して居る。
更に、図３に在っては、従来技術に基づいた登録実用新案公報第３０４３３８２号「座金付きツーピースナット及び座金付きツーピースフランジ付きナット」の構成を表したものにして、本考案に基づく図１及び同図２のものとの比較対照の為、表したものである。
尚、図１及び図２に於ける（Ｃ）は、汎用型ナット（Ｎ）並びに同座金（Ｗ）夫々の中心線を、（Ｈ）はこれ等の間で形成される接触部適所を、然うして（Ｌ）、（Ｌ）は溶接加工を施せる部位を夫々表して居り、当該ナット（Ｎ）の丁度、対辺間（２箇所）に亘って溶接加工が施される。また、（Ｎ′）は特殊ナット、（Ｗ′）は特殊座金、（Ｓ′）は、かしめ加工用のスカート部を夫々表して居る。
【０００７】
【考案の効果】
扨て、本項迄の各項に於いて、縷々、詳述して来た如く、本考案「締結用座金固着形ナット」に依れば、凡そ、次に掲げる如き実用的効果を奏するものである。
即ち、従来の技術に基づいた之の種「ワッシャー付きナット」が、超高価につき、然も、ワッシャー外径が極少、為に、締結効果最悪、さりとて、適正サイズのものが即、間に合わない…等々、何れを取り上げても致命的問題を抱えた儘、今日現在に至って居るので在った。
斯かる現実的な問題に対し、本考案は、これ等、総ての難問題を一挙にクリアー成し得るものであるが、其の効果に関し列挙すれば次の通りである。　即ち、
▲１▼．使用するナット、ワッシャー共に、汎用品である為、超格安にて入手可能。
▲２▼．使用するナット、ワッシャーの一体化に、シンプレストなる溶接工法を施工。
▲３▼．▲１▼、▲２▼項に依り「ワッシャー付きナット」価格は、従来品に比し格段安価。
▲４▼．然も、ケースバイ・ケースに応じ、所望せるサイジングのものの加工Ｏ・Ｋ。
▲５▼．従来品に比し、ワッシャー外径が大なので、締結効果バツグンなり。
▲６▼．エブリータイム・エブリーウエアー、ユーザーにピッタシの製品を提供可能。
▲７▼．資源が有効活用出来る事から、省資源や省エネルギー問題に貢献成し得る。…
以上▲１▼項〜▲７▼項依り、将に、厳しい時代の厳しい要請に、ピッタリの考案足り得るものと確信する所である。
【図面の簡単な説明】
【図１】「本考案を構成する、汎用ナット（Ｎ）及び同座金（Ｗ）夫々の、一体化前、中心線（Ｃ）に一致させた状態を示す斜視図である。」
【図２】「図１の状態に於いて、汎用ナット（Ｎ）及び同座金（Ｗ）を互いに相接触させた後、溶接加工（Ｌ）、（Ｌ）により固着一体化せしめた状態に於ける全体斜視図である。」
【図３】「従来技術に基づいた登録実用新案公報第３０４３３８２号座金付きツーピースナット及びツーピースフランジ付きナットの、一部切欠き断面図である。」
【符号の説明】
Ｃ　　　中心線
Ｈ　　　接触部適所
Ｌ，Ｌ　溶接加工
Ｎ　　　汎用型ナット
Ｎ′　　特殊ナット
Ｓ′　　スカート部
Ｗ　　　汎用型座金
Ｗ′　　特殊座金
Ｗ・Ｎ　締結用座金固着形ナット
【図１】
0003099196.tif 000003
【図２】
0003099196.tif 000004
【図３】
0003099196.tif 000005